(57)【要約】【課題】  表裏の照明光のバランス調整を確実かつ容易に行うことができるとともに、携帯型電子機器の薄型化にも寄与できる照明装置を備えた電気光学装置を提供する。【解決手段】  本発明の電気光学装置１００は、第１の発光素子１１ａ及び第２の発光素子１１ｂ、並びに、第１の発光素子の光を出射する第１の光出射面１１ｅ及び第２の発光素子の光を出射する第２の光出射面１１ｆを一体に備えた発光体１１と、第１の光出射面に対向配置される端面１２ｂを備えた第１の導光シート１２と、第２の光出射面に対向配置される端面１３ｂを備えるとともに第１の導光シートと重なり配置された第２の導光シート１３と、第１の導光シートと第２の導光シートの間に密接配置された光反射層１４と、を具備することを特徴とする。【選択図】図１
2006278096.tif 000002
【特許請求の範囲】
【請求項１】
第１の発光素子及び第２の発光素子、並びに、前記第１の発光素子の光を出射する第１の光出射面及び前記第２の発光素子の光を出射する第２の光出射面を一体に備えた発光体と、
前記第１の光出射面に対向配置される端面を備えた第１の導光シートと、
前記第２の光出射面に対向配置される端面を備えるとともに前記第１の導光シートと重なり配置された第２の導光シートと、
前記第１の導光シートと前記第２の導光シートの間に密接配置された光反射層と、
を具備することを特徴とする照明装置。
【請求項２】
前記第１の導光シート及び前記第２の導光シートは、前記光反射層に隣接する面と対向する面から光を出射するように構成されていることを特徴とする照明装置。
【請求項３】
前記第１の光出射面と前記第２の光出射面とが同一平面上に並んで設けられていることを特徴とする請求項１又は２に記載の照明装置。
【請求項４】
前記第１の発光素子と前記第２の発光素子の輝度若しくは発光波長分布が相互に異なることを特徴とする請求項１乃至３のいずれか一項に記載の照明装置。
【請求項５】
前記第１の光出射面から出射する光の出射角分布と、前記第２の光出射面から出射する光の出射角分布とが相互に異なることを特徴とする請求項３に記載の照明装置。
【請求項６】
前記第１の光出射面の高さ範囲が前記第１の導光シートの前記端面の厚さ範囲内に配置され、
前記第２の光出射面の高さ範囲が前記第２の導光シートの前記端面の厚さ範囲内に配置される
ことを特徴とする請求項１乃至５のいずれか一項に記載の照明装置。
【請求項７】
前記第１の光出射面から出射する光の出射角分布が前記第２の導光シートとは反対側に偏り、
前記第２の光出射面から出射する光の出射角分布が前記第１の導光シートとは反対側に偏っている
ことを特徴とする請求項１乃至６のいずれか一項に記載の照明装置。
【請求項８】
前記第１の導光シートの前記端面が前記第２の光出射面側に傾斜し、
前記第２の導光シートの前記端面が前記第１の光出射面側に傾斜している
ことを特徴とする請求項１乃至７のいずれか一項に記載の照明装置。
【請求項９】
請求項１乃至８のいずれか一項に記載の照明装置と、前記第１の導光シートの表面上方に配置された電気光学パネルとを具備することを特徴とする電気光学装置。
【請求項１０】
前記第２の導光シートの表面上方に別の電気光学パネルが配置されていることを特徴とする請求項９に記載の電気光学装置。
【請求項１１】
前記第２の導光シートの表面上方に光透過性の操作部が配置されていることを特徴とする請求項９に記載の電気光学装置。
【請求項１２】
前記第１の導光シート、前記第２の導光シート及び前記光反射層の積層構造は可撓性を有し、少なくとも平面形状の一部領域が他の部材を避けるように湾曲した状態で設置されていることを特徴とする請求項９乃至１１のいずれか一項に記載の電気光学装置。
【請求項１３】
前記第１の導光シート又は前記第２の導光シートの表層部が光拡散機能を有することを特徴とする請求項９乃至１２のいずれか一項に記載の電気光学装置。
【請求項１４】
請求項９乃至１３のいずれか一項に記載の電気光学装置と、該電気光学装置を制御する制御手段とを有することを特徴とする電子機器。
【発明の詳細な説明】
【技術分野】
【０００１】
本発明は照明装置、電気光学装置、及び、電子機器に係り、特に、電気光学装置に用いる照明装置として好適な構成に関する。
【背景技術】
【０００２】
一般に、液晶表示装置の背後にはバックライトが配置され、バックライトの照明光が液晶表示装置を透過することによって表示光として出射されるようになっている。バックライトとしては、ＬＥＤ（発光ダイオード）や冷陰極管などの発光体を側方に配置し、この発光体に対向配置された端面を有する導光板を設け、この導光板の背後に光反射シートを配置したサイドライト型バックライトが多く用いられている。このようなバックライトでは、発光体から出射された光が導光板の内部に導入され、導光板の内部を伝播しながら、導光板の表面から徐々に放出され、導光板の表面に沿ってほぼ均一な照度が得られるように構成されている。
【０００３】
ところで、上記従来のバックライトでは、光反射シートの配置された側とは反対側にのみ照明光が放出されるように構成されているので、表裏両面に液晶表示画面を備えた携帯電話などの携帯型電子機器を構成する場合など、バックライトの表裏両側に照明を行う必要がある場合には、バックライトを２つ設ける必要があるため、薄型化が難しいという問題点がある。そこで、表裏両側に光を放出できるように構成された導光板を備えた両面発光型のバックライトが知られている（例えば、以下の特許文献１〜４参照）。
【０００４】
また、看板などの表示装置に用いるための両面発光体として、光反射シートを挟んで積層した２枚の導光板の端面に線状発光体を対向配置し、導光板の端面を包囲するとともに線状発光体の光を導光板の端面に集光する光反射板を設置してなるものが知られている（例えば、以下の特許文献５参照）。
【特許文献１】特開２００４−４６０５０号公報
【特許文献２】特開２００４−５５５２８号公報
【特許文献３】特開２００４−８７４０９号公報
【特許文献４】特開２００４−１４４９９０号公報
【特許文献５】特開平１０−１８７０７５号公報
【発明の開示】
【発明が解決しようとする課題】
【０００５】
しかしながら、前述の単一の導光板を備えた両面発光型のバックライトでは、表裏へそれぞれ放出される照明光のバランスを確保することが難しく、導光板の形状や半透過反射シートの光学特性によって照明光の照度が変化するため、再現性を確保するために製造コストが増大し、また、表裏の照明光のバランス調整も難しいという問題点がある。
【０００６】
また、上記の両面発光体では、看板などの大型の表示装置に用いるものとしては比較的薄型の構造を提供できるが、冷陰極管などの線状発光体は、携帯電話などの携帯型表示装置に用いる場合にはきわめて大径であり、携帯型電子機器の薄型化に寄与できるサイズではない。したがって、携帯型電子機器の薄型化を図ることが難しいという問題点がある。また、この両面発光体では光反射層を挟んで２枚の導光板を配置しているが、線状発光体から２枚の導光板へ導入される光量を調整することが難しいため、表裏の照明光のバランスを調整することが困難であるという問題点もある。
【０００７】
そこで、本発明は上記問題点を解決するものであり、表裏の照明光のバランス調整を確実かつ容易に行うことができるとともに、携帯型電子機器の薄型化にも寄与できる照明装置を備えた電気光学装置を提供することにある。
【課題を解決するための手段】
【０００８】
斯かる実情に鑑み、本発明の電気光学装置は、第１の発光素子及び第２の発光素子、並びに、前記第１の発光素子の光を出射する第１の光出射面及び前記第２の発光素子の光を出射する第２の光出射面を一体に備えた発光体と、前記第１の光出射面に対向配置される端面を備えた第１の導光シートと、前記第２の光出射面に対向配置される端面を備えるとともに前記第１の導光シートと重なり配置された第２の導光シートと、前記第１の導光シートと前記第２の導光シートの間に密接配置された光反射層と、を具備することを特徴とする。
【０００９】
この発明によれば、一体の発光体に第１の発光素子と第２の発光素子が設けられ、第１の発光素子の光を出射する第１の光出射面に対向配置される端面を備えた第１の導光シート、光反射層、及び、第２の発光素子の光を出射する第２の光出射面に対向配置される端面を備えた第２の導光シートで構成される密着積層構造によって照明装置が構成されるので、装置の薄型化が可能になるとともに、第１の発光素子及び第１の導光シートで構成される照明系と、第２の発光素子及び第２の導光シートで構成される照明系とを別々に設定することができるので、表裏の照明状態を独立に調整・設定することが可能になる。
【００１０】
本発明において、前記第１の導光シート及び前記第２の導光シートは、前記光反射層に隣接する面と対向する面から光を出射するように構成されていることが好ましい。これによって、表裏両面から照明光を放出する両面発光体を構成できる。
【００１１】
本発明において、前記第１の光出射面と前記第２の光出射面とが同一平面上に並んで設けられていることが好ましい。これによれば、第１の光出射面と第２の光出射面が同一平面上に並んで設けられることにより、積層配置された第１の導光シートと第２の導光シートの各端面を揃えて配置することができるため、装置全体をコンパクトに構成できる。
【００１２】
本発明において、前記第１の発光素子と前記第２の発光素子の輝度若しくは発光波長分布が相互に異なることが好ましい。これによれば、第１の発光素子と第２の発光素子の輝度若しくは発光波長分布が相互に異なることにより、照明対象に応じて表裏の照明態様を異ならせることができる。
【００１３】
本発明において、前記第１の光出射面から出射する光の出射角分布と、前記第２の光出射面から出射する光の出射角分布とが相互に異なることが好ましい。第１の光出射面から出射する光の出射角分布と、第２の光出射面から出射する光の出射角分布とが相互に異なることにより、第１の導光シートと第２の導光シートの照明光の放射状態を異なるものとすることができる。
【００１４】
本発明において、前記第１の光出射面の高さ範囲が前記第１の導光シートの前記端面の厚さ範囲内に配置され、前記第２の光出射面の高さ範囲が前記第２の導光シートの前記端面の厚さ範囲内に配置されることが好ましい。これによれば、第１の光出射面と第２の光出射面の高さ範囲が、それぞれ対応する第１の導光シートと第２の導光シートの端面の厚さ範囲内に配置されることにより、第１の光出射面及び第２の光出射面からそれぞれ出射される光を第１の導光シート及び第２の導光シートのそれぞれの端面に効率的に入射させることができるため、発光体の光の利用効率を高めることができる。
【００１５】
本発明において、前記第１の光出射面から出射する光の出射角分布が前記第２の導光シートとは反対側に偏り、前記第２の光出射面から出射する光の出射角分布が前記第１の導光シートとは反対側に偏っていることが好ましい。これによれば、それぞれの光出射面から出射する光の出射角分布がそれぞれの導光シートの照明光の放出面側に偏っていることにより、それぞれの導光シート内に入射する光の伝播方向を放出面側に偏らせることができるため、全体として光の利用効率を高めることができる。
【００１６】
本発明において、前記第１の導光シートの前記端面が前記第２の光出射面側に傾斜し、前記第２の導光シートの前記端面が前記第１の光出射面側に傾斜していることが好ましい。これによれば、それぞれの導光シートの端面が他方の光出射面側に傾斜していることにより、それぞれの導光シート内に入射する光の伝播方向をそれぞれの導光シートの放出面側に偏らせることができるので、全体として光の利用効率を高めることができる。
【００１７】
上記各発明において、前記発光体は前記第１の光出射面及び前記第２の光出射面を含む平坦な外面を備えたＬＥＤであることが望ましい。これによれば、発光体の小型化が容易になることにより、装置のさらなる薄型化を図ることができる。
【００１８】
また、前記第１の導光シート及び前記第２の導光シートはそれぞれ厚さ３５０μｍ以下の樹脂シートで構成されていることが好ましい。これにより、従来の導光板を用いた照明装置に比べてきわめて薄い照明装置を構成することが可能になる。
【００１９】
さらに、前記光反射層が光反射フィルムで構成されていることが好ましい。光反射層としては、上記第１の導光シートや第２の導光シートの表面に被着した薄膜等でも構成することができるが、第１の導光シート及び第２の導光シートとは独立した光反射フィルムで構成されることにより、薄膜形成などの成膜工程が不要になるとともに、組立作業にも大きな支障を与えず、しかも、部品管理も容易になるため、製造コストの低減及び製造工程の管理を容易に行うことが可能になる。
【００２０】
また、前記第１の導光シートと前記第２の導光シートの厚さが相互に異なる場合もある。この場合には、第１の導光シートと第２の導光シートの厚さを異ならしめることにより、表裏両面の照明光の光量バランスを制御することが可能になる。
【００２１】
さらに、前記光反射層の表面又は裏面の一部に他より低い反射率を有する低反射領域が設けられていることが好ましい。これによれば、低反射領域を設けることで、導光シートの表面から出射される光の分布を調整することが可能になる。ここで、低反射領域としては、他よりも光吸収率の高い光吸収面を有するものであってもよく、また、他よりも光透過率の高い光透過面を有するものであっても構わない。
【００２２】
次に、本発明の電気光学装置は、上記のいずれかに記載の照明装置と、前記第１の導光シートの表面上方に配置された電気光学パネルとを具備することを特徴とする。
【００２３】
本発明において、前記第２の導光シートの表面上方に別の電気光学パネルが配置される場合がある。この場合には、光反射層における第２の導光シート側の光反射面の形成領域や分布を別の電気光学パネルの表示領域に合わせることが望ましい。
【００２４】
本発明において、前記第２の導光シートの表面上方に光透過性の操作部が配置される場合もある。この場合には、光反射層における第２の導光シート側の光反射面の形成領域や分布を光透過性の操作部の形状や配置に合わせることが望ましい。
【００２５】
本発明において、前記第１の導光シート、前記第２の導光シート及び前記光反射層の積層構造は可撓性を有し、少なくとも平面形状の一部領域が湾曲した状態で設置されることが好ましい。上記積層構造を可撓性を有するものとし、その少なくとも平面形状の一部領域を湾曲させた状態で設置することにより、搭載機器の内部構造に合わせて適宜の姿勢で設置することが可能になり、搭載機器の小型化や薄型化を図ることができる。特に、上記積層構造が他の部材を避けるように湾曲していることにより、照明装置の設置時のスペース効率を高めることができるため、搭載機器の小型化や薄型化に大きく寄与することができる。
【００２６】
本発明において、前記第１の導光シート又は前記第２の導光シートの表層部が光拡散機能を有することが好ましい。これらの導光シートが光拡散機能を有することにより、別に光拡散板を設置する必要がなくなるので、電気光学装置のさらなる薄型化を図ることができる。ここで、上記の光拡散機能は、上記導光シートの光出射面である表面を微細な凹凸を備えた面（粗面）とすることによって構成することができる。
【００２７】
次に、本発明の電子機器は、上記のいずれか一項に記載の電気光学装置と、該電気光学装置を制御する制御手段とを有することを特徴とする。この電子機器としては、表示モニタ機器、コンピュータ機器などが挙げられるが、特に、携帯電話、携帯型情報端末、電子時計等の携帯型電子機器であることが好ましい。
【発明を実施するための最良の形態】
【００２８】
［第１実施形態］
次に、添付図面を参照して本発明の実施形態について詳細に説明する。図１は本発明に係る第１実施形態の照明装置１０の一部断面図、図２（ａ）は発光体１１の縦断面図、図２（ｂ）は光出射方向から見た正面図である。この照明装置１０は、発光体１１と、第１の導光シート１２と、第２の導光シート１３と、光反射層１４とを有する。
【００２９】
発光体１１は、図１及び図２に示すように、直方体（立方体）状にパッケージされた表面実装タイプのＬＥＤ（発光ダイオード）であり、発光ダイオードチップでそれぞれ構成される発光素子１１ａ及び１１ｂと、この発光素子１１ａ，１１ｂを収容するパッケージ１１ｃと、発光素子１１ａ，１１ｂの周囲に充填された透明樹脂１１ｄと、透明樹脂１１ｄがそれぞれ露出してなる光出射面１１ｅ，１１ｆとを有する。発光体１１の直方体（立方体）の一つの外面上には、発光素子１１ａの収容空間の開口部と、発光素子１１ｂの収容空間の開口部が並んで配置されていて、発光素子１１ａ，１１ｂそれぞれに設けられた収容空間にそれぞれ上記透明樹脂１１ｄが充填されたとき、これらの開口部が上記光出射面１１ｅ及び１１ｆを構成するようになっている。すなわち、本実施形態の場合、光出射面１１ｅ，１１ｆは透明樹脂１１ｄの表面で構成される。光出射面１１ｅ，１１ｆは、平坦面（好ましくは鏡面状の平滑面）となっている。
【００３０】
上記パッケージ１１ｃは耐熱性ポリマー樹脂（白色樹脂）等で構成され、その内面は、光反射面として機能する。すなわち、発光素子１１ａから放出された光を導光シート１２の端面１２ｂに向けて反射する反射鏡として機能するとともに、発光素子１１ｂから放出された光を導光シート１３の端面１３ｂに向けて反射する反射鏡としての機能するように構成されている。具体的には、パッケージ１１ｃの内面は、鏡面状の平滑面であるとともに、上記端面１２ｂ，１３ｂに向いた凹曲面を含むように構成されている。また、透明樹脂１１ｄはアクリル樹脂やエポキシ樹脂などを用いることができる。さらに、発光体１１における上記光出射面１１ｅ，１１ｆ以外の外面上には発光素子１１ａと１１ｂにそれぞれ接続された２組の端子対（図示せず）が設けられ、発光素子１１ａと１１ｂに別々に電圧を印加し、発光素子１１ａと１１ｂを独立に制御できるように構成されている。
【００３１】
導光シート１２及び１３は、それぞれアクリル樹脂などの薄いシートで構成されている。これらの厚さｔは３５０μｍ以下であることが好ましい。特に、シートの製造を容易にするとともに、導光特性を確保するためには、厚さｔが２０〜２５０μｍの範囲内であることが望ましい。
【００３２】
導光シート１２及び１３は、発光体１１が放出した光のうち、照明光として用いられる波長域の光（例えば、可視光領域の光）を実質的に透過するものであることが好ましい。すなわち、上記領域の光に対して８０％以上、好ましくは８５％以上の光透過率を有する透明素材で構成されることが望ましい。
【００３３】
また、導光シート１２の表面１２ａ（光反射層１４が接する面とは反対側の面）及び導光シート１３の表面１３ａ（光反射層１４が接する面とは反対側の面）から放射される光の照度がそれぞれ表面全体に亘ってほぼ均一になるように構成されていることが好ましい。例えば、光出射構造として、上記表面１２ａ及び１３ａの表面上に発光体１１側から反対側に向けて徐々に分布密度が変化する後述する表面凹凸形状が形成される。この光出射構造は、照明が必要な領域に対応して導光シート１２及び導光シート１３の表面１２ａ，１３ａの一部にのみ設けられていてもよい。
【００３４】
導光シート１２の端面１２ｂは、上記発光体１１の光出射面１１ａに対向配置されている。また、光出射面１１ａの高さ範囲は、導光シート１２の端面１２ｂの厚さ範囲内に配置されている。一方、導光シート１３の端面１３ｂは、上記発光体１１の発光面１１ｄに対向配置されている。また、光出射面１１ｂの高さ範囲は、導光シート１３の端面１３ｂの厚さ範囲内に配置されている。これによって、光出射面１１ａから出射した光のほぼ全てが導光シート１２の端面１２ｂに入射し、また、光出射面１１ｂから出射した光のほぼ全てが導光シート１３の端面１３ｂに入射するようになっている。
【００３５】
また、導光シート１２、光反射層１４、及び、導光シート１３が相互に密接された状態で積層されている。本実施形態の場合、端面１２ｂ，１３ｂはそれぞれ平坦面（好ましくは鏡面状の平滑面）となっている。なお、端面１２ｂ，１３ｂが発光体１１の光出射面１１ｅ，１１ｆに密着配置されていてもよい。
【００３６】
光反射層１４は導光シート１２及び導光シート１３の裏面（上記表面１２ａ，１３ａとは反対側の面）上に被着された薄膜であってもよいが、上記導光シート１２及び導光シート１３とは別体の光反射フィルムであることが好ましい。この光反射フィルムとしては、アルミニウム箔等の金属箔、透明樹脂フィルム上にアルミニウムやクロム等の金属薄膜を備えた積層フィルム、ポリエステルフィルムなどの白色樹脂フィルムなどが挙げられる。このように光反射層１４を導光シート１２，１３とは別体のフィルムとすることで、成膜処理が不要になるとともに、製造時の部品管理が容易になり、組み立て性にも支障を与えないので、製造コストを低減できる。
【００３７】
この照明装置１０においては、発光体１１から放出された光は端面１２ｂ，１３ｂから入射して導光シート１２及び導光シート１３の内部を図示右側へ伝播し、一部の光は光反射層１４の表面で反射されつつ、やがて少しずつ表面１２ａ，１３ａから照明光として放出されていく。このとき、表面１２ａ，１３ａに設けられた上記の表面凹凸形状によって照明光の或る程度の分散性（均一性）が確保されるようになっている。すなわち、発光体１１から導光シート１２及び導光シート１３に入射した光のうち、表面１２ａ，１３ａとの角度差がある程度小さい光は表面１２ａ，１３ａにて全反射するので、照明光として表面１２ａ，１３ａから放出されないが、上記表面凹凸構造によって全反射せずに照明光として放出される光成分が生ずるので、表面凹凸構造の密度分布を適宜に設定することで、表面１２ａ，１３ａの輝度分布を均一化すること、或いは、所望の分布に設定することが可能になる。
【００３８】
本実施形態の具体的な寸法としては、発光体１１の光出射面１１ｅ，１１ｆの高さが約０．１〜０．４ｍｍ、導光シート１２及び導光シート１３の厚さｔがそれぞれ１００〜３５０μｍ、光反射層１４の厚さが５〜１００μｍ程度であることが好ましい。
【００３９】
従来においては、厚さが最低でも０．５〜０．６ｍｍ程度の導光板を用いていたため、照明装置全体の厚さとしては１．１〜１．５ｍｍ程度が限界であったが、本実施形態では全体で０．２５〜０．８ｍｍ程度とすることが可能であり、従来構造に比べて大幅な薄型化を図ることが可能になる。特に、近年の小型の液晶パネルの厚さは１．０ｍｍ前後ときわめて薄くなってきているので、照明装置１０の薄型化の影響はきわめて大きい。
【００４０】
また、発光体１１としては、現在、厚さが０．６ｍｍ程度の小型チップ状のＬＥＤが入手可能となっているとともに、これを２つの発光素子を含む構造とすることも可能であるので、光反射層の両側に厚さ２００〜３００μｍ程度の２枚の導光シートを配置することで、単一の上記ＬＥＤに対応した、きわめて薄型の照明装置を構成することが可能である。
【００４１】
本実施形態の発光体１１は、一体のパッケージ１１ｃ中に、導光シート１２，１３の厚さ方向に並んで配置された２つの発光素子１１ａ，１１ｂをそれぞれ含み、全体として２層の発光構造を有しているので、導光シート１２と１３のそれぞれに独立した発光素子１１ａ，１１ｂから放出された光を別々に入射させることができる。したがって、導光シート１２と１３に入射する光量や光の波長分布を独立に設定することができるので、導光シート１２の表面１２ａ及び導光シート１３の表面１３ａから表裏両側に放射される照明光の照度や波長分布を独立に設定することができる。すなわち、表裏それぞれの照明対象に応じて最適な照明状態を設定することができる。
【００４２】
［第２実施形態］
次に、図３を参照して本発明に係る第２実施形態の照明装置１０′について説明する。図３は本実施形態の部分断面図である。この実施形態において、発光体１１及び光反射層１４は上記第１実施形態と同一であるので、これらの説明は省略する。本実施形態では、導光シート１２′の厚さｔ２と導光シート１３′の厚さｔ３が相互に異なる点で上記第１実施形態とは異なるが、導光シート１２′及び１３′の他の構成については上記第１実施形態と同様であるので、これらの同様の点においても説明を省略する。
【００４３】
図示例において、導光シート１２′の厚さｔ２は、導光シート１３′の厚さｔ３よりも大きい。そして、導光シート１２′の端面１２ｂ′及び導光シート１３′の端面１３ｂ′はそれぞれ発光体１１の光出射面１１ｅ及び光出射面１１ｆと対向配置されているが、端面１２ｂ′の高さは端面１３ｂ′の高さよりも大きいので、導光シート１２′の内部には、光出射面１１ｅから出射する光だけではなく、光出射面１１ｆから出射する光も入射し、一方、導光シート１３′の内部には、光出射面１１ｆから出射する光のうちの一部のみが入射するため、導光シート１２′の内部に入射する光量は、導光シート１３′の内部に入射する光量よりも大きくなる。その結果、導光シート１２′の表面１２ａ′の輝度は、導光シート１３′の表面１３ａ′の輝度よりも大きくなる。すなわち、図示上方へ放出される照明光による照度は図示下方へ放出される照明光による照度よりも大きく（明るく）なる。
【００４４】
本実施形態のように、導光シート１２′の厚さｔ２と導光シート１３′の厚さｔ３とを相互に異なるものとすることによって、上下それぞれの輝度ないしは照度を調整することができ、輝度バランス或いは照度バランスを適宜に設定することができる。
【００４５】
また、この照明装置１０′では、第１の導光シート１２′と第２の導光シート１３′を積層配置するだけでよいので、異なる厚さの導光シートを容易に差し替えることができるため、予め複数の異なる厚さを有する導光シートを用意しておけば、照度バランスの調整に手間がかかることもない。
【００４６】
［第３実施形態］
次に、図４を参照して本発明に係る第３実施形態の照明装置１０″について説明する。図４は照明装置２０の部分断面図である。この実施形態では、発光体１１、導光シート１２及び１３については上記第１の実施形態と同様に構成できるため、これらの説明は省略する。
【００４７】
本実施形態において、光反射層１４′は上記各実施形態と同様の材質のものを用いることができるが、先の実施形態では光反射層１４が全面的に光反射性の表面を有していたのに対して、光反射層１４′の表面の一部（図示例の場合には導光シート１３に接する側の面の一部）には、他の部分に設けられた光反射面１４ｘよりも光反射率の低い低反射領域１４ｙが設けられている。当該低反射領域１４ｙは、例えば黒色樹脂などで形成されているなど、光の吸収率を光反射面１４ｘよりも高くした光吸収面で構成することができる。これによって、上記低反射領域１４ｙでは光反射面１４ｘよりも光が反射されにくく、これによって導光シート１３の表面１３ａから放射される照明光の分布を変化（ばらつきを増大）させることができる。
【００４８】
本実施形態では、光反射層１４の表面の光反射率を部分的に変化させることにより、照明光の分布にばらつきを与えている。これによって、照明光を不要とする領域（照明光が存在すると支障の出る領域）と、照明光を必要とする領域とが存在する場合、これらの領域に合わせて照明装置１０″の照度分布を制御・調整することが可能になる。
【００４９】
なお、上記の低反射領域１４ｙとしては、上記のように光反射面１４ｘよりも光吸収率の高い光吸収面を形成してもよいが、例えば、光反射面１４ｘよりも光透過率の高い光透過面を形成してもよい。この場合でも、低反射領域１４ｙにおいて、或る程度の光が導光シート１２と導光シート１３の間を行き交うことができるようになるので、当該部分の照度を他の部分と異ならしめることが可能になる。
【００５０】
［第４実施形態］
次に、図５及び図６を参照して本発明に係る照明装置の第４実施形態について説明する。この実施形態の照明装置２０は、発光体２１、導光シート２２及び２３、並びに、光反射層２４を備えている点では先の実施形態と同様であり、特に言及しない限り、上記と同様の構成を備えているので、同様の部分についての説明は省略する。
【００５１】
光源２１は、上記と同様に、発光素子２１ａ，２１ｂ、パッケージ２１ｃ、透明樹脂２１ｄ、並びに、光出射面２１ｅ，２１ｆを備えた２層構造を有する。この光源２１が上記光源１１と異なる点は、発光素子２１ａ，２１ｂの光出射面２１ｅ，２１ｆから出射する光の出射角分布の少なくとも一方が導光シート２２，２３の厚さ方向に偏っており、導光シート２２，２３の厚さ方向に見た両出射角分布の偏りが相互に異なっている点にある。
【００５２】
より具体的には、発光素子２１ａから放出される光の光出射面２１ｅからの出射角分布は、導光シート２２に向けて導光シート２３とは反対側に偏っている。すなわち、光出射面２１ｅから出射する光が図示上方（表面１２ａ側）に斜めに向かう側にピークを有するように構成されている。また、発光素子２１ｂから放出される光の光出射面２１ｆからの出射角分布は、導光シート２３に向けて導光シート２２とは反対側に偏っている。すなわち、光出射面２１ｆから出射する光が図示下方（表面１３ａ側）に斜めに向かう側にピークを有するように構成されている。
【００５３】
上記の出射角分布の偏りは、発光体２１の内部に構成された反射面（パッケージ２１ｃの内面）のうち、それぞれ導光シート２２，２３の厚さ方向両側に設けられた部分２１ｓ、２１ｔが表面２２ａ，２３ａ側に傾斜することによって形成される。この反射面の部分２１ｓ、２１ｔの傾斜は、発光素子２１ａ，２１ｂの収容空間の内部に別の反射層を形成することによって実現されるようにしてもよい。
【００５４】
上記の出射角の偏りの程度としては、出射角のピークが導光シート２２，２３の厚さ方向に１〜５度の範囲内で傾斜していることが好ましく、特に、２．５〜３．５度の範囲内で傾斜していることが望ましい。１度未満では、偏りを与えたことによる光の利用効率の向上効果が得られず、また、５度を越えると、光出射面から出射した光が導光シート２２，２３内に導入される割合が低下し、光の利用効率が却って低下する。
【００５５】
また、本実施形態では、光出射面２１ｅに対向配置される導光シート２２の端面２２ｂは、光出射面２１ｆ側に傾斜し、光出射面２１ｆに対向配置される導光シート２３の端面２３ｂは、光出射面２１ｅ側に傾斜している。この端面２２ｂ、２３ｂの厚さ方向の傾斜角は、１〜５度の範囲内であることが好ましく、特に、２．５〜３．５度の範囲内であることがさらに望ましい。１度未満では、傾斜させたことによる光の利用効率の向上効果が得られず、また、５度を越えると、光出射面から出射した光が導光シート２２，２３内に導入される割合が低下し、光の利用効率が却って低下する。
【００５６】
以上のように構成された本実施形態では、光出射面２１ｅ，２１ｆから出射した光の多くの部分は、導光シート２２，２３へ向けてその表面２２ａ，２３ａ側に斜めに進み、端面２２ｂ，２３ｂに入射する。端面２２ｂ，２３ｂもまた上記のように傾斜しているので、入射光は端面２２ｂ，２３ｂでさらに表面２２ａ，２３ｂ側に屈折し、導光シート２２，２３の内部に進入する。このようにすると、端面２２ｂ，２３ｂから入射した光の進路は全体としてそれぞれの導光シート２２，２３内において表面２２ａ，２３ａ側に偏ることになるので、発光体２１から出射した光のより多くの成分を表面２２ａ，２３ａから放射される照明光として利用することができるようになることから、照明装置全体として、光の利用効率を高めることが可能になる。
【００５７】
［第５実施形態］
次に、図７及び図８を参照して本発明に係る電気光学装置１００の構成について説明する。図７は本実施形態の概略構成を示す概略縦断面図、図８は同実施形態の平面配置図である。本実施形態は、上記の照明装置１０を用いる例について示すが、実際には先に説明した照明装置のいずれを用いても構わない。電気光学装置１００は、上記の照明装置１０と、この照明装置１０の導光シート１２の表面上に配置された電気光学パネル１１０と、導光シート１３の表面上に配置された電気光学パネル１２０とを備えている。
【００５８】
電気光学パネル１１０は、本実施形態の場合は液晶パネルであり、基板１１１と１１２をシール材１１３で貼り合わせ、その間に液晶１１４を封入したものである。また、基板１１１及び１１２の外面（液晶１１４に臨む内面とは反対側の面）上には貼着等の方法によって偏光板１１５，１１６が配置されている。
【００５９】
一方、電気光学パネル１２０もまた液晶パネルであり、基板１２１と１２２をシール材１２３で貼り合わせ、その間に液晶１２４を封入したものである。また、基板１２１及び１２２の外面上には貼着等の方法によって偏光板１２５，１２６が配置されている。
【００６０】
電気光学パネル１１０には、基板１１１が基板１１２の外形よりも外側へ張り出してなる基板張出部１１１ｅが設けられ、この基板張出部１１１ｅに図示しない入力端子が形成されるとともに、当該入力端子に対してフレキシブル配線基板１３０が実装されている。
【００６１】
一方、電気光学パネル１２０にも、基板１２１が基板１２２の外形よりも外側へ張り出してなる基板張出部１２１ｅが設けられ、この基板張出部１２１ｅには図示しない入力端子が形成されるとともに、当該入力端子に対してフレキシブル配線基板１３０が実装されている。
【００６２】
フレキシブル配線基板１３０にはさらに発光体１１が実装されている。また、フレキシブル配線基板１３０には接続端子部１３１が設けられ、この接続端子部１３１が搭載機器の制御回路等に接続されるようになっている。なお、フレキシブル配線基板１３０に電気光学パネル１１０及び電気光学パネル１２０を駆動する駆動回路（例えば液晶ドライバ回路）を実装してもよく、また、当該駆動回路をパネルとは別の部分に設けてフレキシブル配線基板１３０に接続するようにしてもよい。
【００６３】
図８は、上記電気光学装置１００の各構成要素の平面構造を重ねて示すことにより、装置全体の平面配置を表すものである。照明装置１０では、複数の発光体１１が平面視矩形に構成された導光シート１２、導光シート１３及び光反射層１４の一つの辺に沿って配列されている。また、電気光学装置１１０は、電気光学装置１２０の外形より広い範囲に延在し、電気光学装置１１０の表示領域１１０Ａは、電気光学装置１２０の表示領域１２０Ａよりも広く形成されている。
【００６４】
本実施形態においては、上記のように電気光学装置１１０は広い表示領域１１０Ａを有するのに対して、電気光学装置１２０は表示領域１１０Ａよりも狭い表示領域１２０Ａを有する。このように表裏の表示領域が相互に異なる場合、単一の導光板を用いた従来の両面照明装置では、電気光学パネル１１０の広い表示領域１１０Ａを視認したときに背後の電気光学パネル１２０が影となって写り込み、表示領域１１０Ａの視認性を悪化させるという問題点がある。しかし、本実施形態では、照明装置１０には光反射層１４が設けられているので、表裏の電気光学パネルの大きさが異なっていても、背後のパネル構造による光学的な影響を受けることがなくなり、視認性を悪化させることもない。
【００６５】
また、本実施形態では、電気光学パネル１１０に対しては広い表示領域１１０Ａをカバーする照明範囲が照明装置１０に要求されるのに対して、電気光学パネルに対しては、照明装置１０の照明範囲は第１の電気光学装置１１０に対する照明範囲よりも狭い範囲（表示領域１２０Ａ）で足りる。したがって、表示領域１２０Ａを照明する導光シート１３側の光反射層１４の表面では、表示領域１２０Ａに対応する領域が光反射面になっていて、当該領域の外側は光吸収面などの光反射率の低い面となっていてもよい。この場合には、表示領域１２０Ａに対応した照明範囲から外れた領域では照明装置１０の輝度を低下させることができるので、不要光による回路動作の不具合や搭載機器の内部から外部への光の漏洩を防止することができる。
【００６６】
［第６実施形態］
次に、図９及び図１０を参照して本発明に係る電気光学装置２００の構成について説明する。図９は本実施形態の概略構成を搭載機器の一部とともに示す概略縦断面図、図１０は同実施形態の平面配置図である。本実施形態の場合、上記の照明装置１０″を用いた場合について示すが、実際には先に説明した照明装置のいずれを用いても構わない。この電気光学装置２００は、上記の照明装置１０″と、この照明装置１０″の導光シート１２の表面上に配置された電気光学パネル２１０とを備えている。
【００６７】
電気光学パネル２１０は、本実施形態の場合は液晶パネルであり、基板２１１と２１２をシール材２１３で貼り合わせ、その間に液晶２１４を封入したものである。また、基板２１１及び２１２の外面（液晶１１４に臨む内面とは反対側の面）上には貼着等の方法によって偏光板２１５，２１６が配置されている。
【００６８】
電気光学パネル２１０には、基板２１１が基板２１２の外形よりも外側へ張り出してなる基板張出部２１１ｅが設けられ、この基板張出部２１１ｅに図示しない入力端子が形成されるとともに、当該入力端子に対してフレキシブル配線基板２３０が実装されている。このフレキシブル配線基板２３０には発光体１１が実装され、また、接続端子部２３１が設けられている。
【００６９】
本実施形態の電気光学装置２００は、後述する携帯電話等のような薄型の携帯型電子機器に搭載される。そして、電気光学装置２００の搭載位置の一側（図示上側）にはケース壁５０が配置され、このケース壁５０には、上記電気光学パネル２１０の表示領域２１０Ａにほぼ対応する位置に嵌合固定され、表示領域２１０Ａに対応する形状寸法を有する表示窓５１が設けられている。また、電気光学装置２００の搭載位置の他側（図示下側）にはケース壁６０が配置され、このケース壁６０には、透明若しくは半透明の素材（樹脂素材など）で構成された操作部（操作ボタン）６１が操作可能な態様で取り付けられている。
【００７０】
本実施形態において、照明装置１０″の光反射層１４′における導光シート１２側の表面はほぼ全体が連続した光反射面となっているが、光反射層１４′における導光シート１３側の表面には、前述のように光反射面１４ｘと、これより光反射率の低い低反射領域（例えば光吸収面）１４ｙとが設けられている。図示例の場合、操作部６１に対応する部分には光反射面１４ｘが設けられ、操作部６１以外のケース壁６０の部分に対応する部分は低反射領域１４ｙとなっている。
【００７１】
これにより、発光体１１から放出された光のうち、導光シート１３内に入射してその内部を伝播した光は、光反射面１４ｘに対応する部分において導光シート１３の表面から出射し、上記の操作部６１を透過して利用者に操作部６１の位置を知らせることができる。一方、光吸収面１４ｙに対応する部分においては導光シート１３の表面から出射しにくくなるので、操作部６１以外の部分では照明光を低減することができる。
【００７２】
［第７実施形態］
次に、図１１を参照して本発明に係る第７実施形態の電気光学装置３００について説明する。この電気光学装置３００では、上記第１乃至第４実施形態の照明装置と基本的に同様に構成された、発光体３１、導光シート３２、導光シート３３及び光反射層３４を備えた照明装置３０と、この照明装置３０の第１の導光シート３２の表面上に配置された電気光学パネル３１０と、照明装置３０の導光シート３３の表面上に配置された電気光学パネル３２０とを有する。
【００７３】
電気光学パネル３１０と電気光学パネル３２０はそれぞれ上記第５実施形態と同様の基本構造を有している。本実施形態の場合、電気光学パネル３１０及び電気光学パネル３２０は、照明装置３０の導光シート３２及び導光シ３３よりも小さい平面形状を有する。そして、上記の導光シート３２、導光シート３３及び光反射層３４の積層構造は、発光体３１から電気光学パネル３１０及び電気光学パネル３２０の外縁までの間にこれらの電気光学パネルと平面的に重ならない平面部分を備えている。
【００７４】
本実施形態の導光シート３２、導光シート３３及び光反射層３４は可撓性を有している。これによって、図１１に示すように、導光シート３２、導光シート３３及び光反射層３４のうち、電気光学パネル３１０及び電気光学パネル３２０と平面的に重なっていない上記平面部分を任意の形状に撓ませることができる。例えば、図示例のように、導光シート３２、導光シート３３及び光反射層３４の積層構造は、発光体３１に対向する端面部分の高さと、電気光学パネル３１０と電気光学パネル３２０の間に挟まれた部分の高さとの間に段差Ｄｈが生ずるように構成できる。
【００７５】
なお、この場合に、導光シート３２及び導光シート３３のうち、電気光学パネル３１０及び電気光学パネル３２０と平面的に重なる領域にのみ上記の表面凹凸構造などの光を出射させるための光出射構造を設け、電気光学パネル３１０及び電気光学パネル３２０と平面的に重なっていない上記平面部分では、発光体３１から入射した光が表面から外部へ出射しないように上記の光出射構造を設けないことが好ましい。これにより、発光体３１から導光シート３２及び導光シート３３の内部に入射した光は、電気光学パネル３１０及び電気光学パネル３２０と平面的に重なっていない上記平面部分では、光ファイバーの原理と同様の原理で内部を伝播していくだけで外部には出射されないが、やがて、電気光学パネル３１０及び電気光学パネル３２０と平面的に重なる領域に到達すると、上記光出射構造によって徐々に導光シート３２及び導光シート３３の表面から出射される。
【００７６】
上記のように構成することで、携帯型電子機器などの種々の搭載機器の内部において、電気光学装置３００の格納形状を変化させることができるので、搭載機器をコンパクトに構成することが可能になる。例えば、図１１に示す例では、上記段差Ｄｈの存在により、図示点線で示す領域Ｓに他の部材（回路や電子素子など）を配置することができるとともに、発光体３１及びこれを実装したフレキシブル配線基板などを他の部材が存在しない空きスペースに配置することにより収容効率を高めることが可能になるので、搭載機器のさらなる小型化や薄型化を図ることができる。
【００７７】
［第８実施形態］
次に、図１２を参照して本発明に係る上記各実施形態に用いることのできる導光シート及び導光シートの構成について説明する。図１２（ａ）に示す導光シート１５は、光を出射する表面１５ａ上に、導光シート１５の内部に向けた面方位が光の伝播方向Ｐとは逆の側に傾いた傾斜面１５ｘ及び光の伝播方向Ｐ側に傾いた傾斜面１５ｙを備えた表面凹凸構造１５Ｓを備えたものである。
【００７８】
この表面凹凸構造１５Ｓのうち、上記傾斜面１５ｘは、内部伝播光を外部へ出射させるための光出射面として機能するようになっている。したがって、傾斜面１５ｘの密度を適宜に設定することによって、導光シート１５の表面１５ａから放射される照明光分布の均一性を確保することができる。例えば、一般的には、図示しない発光体から離れるに従って導光シート１５の内部を伝播する光量も減少するので、これに応じて上記傾斜面１５ｘの形成密度或いは面積率を高めることが好ましい。
【００７９】
一方、図１２（ｂ）に示す導光シート１６は、上記の導光シート１５とほぼ同様の表面凹凸構造１６Ｓを表面１６ａ上に備えたものであるが、傾斜面１６ｘが微細な表面凹凸を備えた粗面となっている点で上記とは異なる。このように傾斜面１６ｘが粗面となっていることで、表面１６ａから放出される照明光の均一性がさらに向上し、照度分布のばらつきを抑制することができる。
【００８０】
すなわち、導光シート１６は、従来の導光板と同様の導光機能だけでなく、従来は導光板と別に配置されていた光拡散板の機能をも一体に備えたものとなっている。これによって光拡散板を別途配置する必要がなくなるので、照明装置をさらに薄く構成することが可能になる。
【００８１】
［第９実施形態］
最後に、図１３及び図１４を参照して本発明に係る電子機器の実施形態について説明する。図１３は本実施形態の電子機器に搭載された電気光学装置１００とその制御部分を模式的に示す概略構成図であり、図１４は本実施形態の電子機器の外観を示す概略斜視図（ａ）及び（ｂ）である。
【００８２】
図１３に示すように、電気光学装置１００は、上記の照明装置１０（バックライト）と、その両側に配置された電気光学パネル１１０及び電気光学パネル１２０を備えている。電気光学パネル１１０及び電気光学パネル１２０にはそれぞれ液晶ドライバ回路等で構成される駆動回路１１０Ｄ及び１２０Ｄが用意され、これらの駆動回路１１０Ｄ，１２０Ｄが制御手段１１００及び１２００によって制御されることにより、駆動回路１１０Ｄ，１２０Ｄが電気光学パネル１１０及び電気光学パネル１２０を所望の画像表示が実現されるように駆動する構造となっている。
【００８３】
制御手段１１００，１２００は、それぞれ、表示情報出力源１１１０，１２１０と、表示処理回路１１２０，１２２０と、電源回路１１３０，１２３０と、タイミングジェネレータ１１４０，１２４０とを有する。
【００８４】
表示情報出力源１１１０，１２１０は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１１４０，１２４０によって生成された各種のクロック信号に基づいて、所定フォーマットの画像信号等の形で表示情報を表示情報処理回路１１２０，１２２０に供給するように構成されている。
【００８５】
表示情報処理回路１１２０，１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１１０Ｄ，１２０Ｄへ供給する。駆動回路１１０Ｄ，１２０Ｄは、走査線駆動回路、データ線駆動回路及び検査回路を含む。また、電源回路１１３０，１２３０は、上述の各構成要素にそれぞれ所定の電圧を供給する。
【００８６】
本実施形態においては、主制御部１０００から上記の表示情報出力源１１１０，１２１０に対する制御指令が送出されるとともに発光体１１に対する制御信号が送出される。主制御部１０００による発光体１１に対する制御内容は、発光体１１のオンオフ制御や輝度制御などである。
【００８７】
図１４に示すように、電子機器２０００は、操作部２００１と表示部２００２とを有し、操作部２００１と表示部２００２を相互に折りたたむことができるようになっている。表示部２００２には電気光学装置１００が内蔵され、表示部２００２の内面上に電気光学パネル１１０の表示画面が配置され、表示部２００２の外面上に電気光学パネル１２０の表示画面が配置される。
【００８８】
本実施形態のように、表示部２００２の内部に電気光学装置１００を搭載した場合、電気光学装置１００の厚さによって表示部２００２の厚さが決定される。本実施形態の電気光学装置１００では、上記のように照明装置１０がきわめて薄く構成できるので、電気光学装置１００も薄型化され、それによって表示部２００２の厚さを低減することができる。特に、表示部２００２の厚さは通常８〜１２ｍｍ程度であるので、照明装置１０の薄型化によって例えば１〜２ｍｍ程度の厚さの減少が得られたとすると、携帯感や操作感への影響が大きく、きわめて効果的である。
【００８９】
尚、本発明の電気光学装置、電子機器、或いは、照明装置は、上述の図示例にのみ限定されるものではなく、本発明の要旨を逸脱しない範囲内において種々変更を加え得ることは勿論である。
【図面の簡単な説明】
【００９０】
【図１】第１実施形態の照明装置の一部断面図。
【図２】第１実施形態の照明装置に用いる発光体の縦断面図（ａ）及び正面図（ｂ）。
【図３】第２実施形態の照明装置の一部断面図。
【図４】第３実施形態の照明装置の一部断面図。
【図５】第４実施形態の照明装置の一部断面図。
【図６】第４実施形態の照明装置の発光体の縦断面図（ａ）及び正面図（ｂ）。
【図７】第５実施形態の電気光学装置の概略断面図。
【図８】第５実施形態の電気光学装置の平面配置図。
【図９】第６実施形態の電気光学装置の概略断面図。
【図１０】第６実施形態の電気光学装置の平面配置図。
【図１１】第７実施形態の電気光学装置の概略断面図。
【図１２】第８実施形態の導光シートの部分断面図（ａ）及びその変形例の部分断面図（ｂ）。
【図１３】第９実施形態の電子機器の概略構成図。
【図１４】第９実施形態の概略斜視図（ａ）及び（ｂ）。
【符号の説明】
【００９１】
１０…照明装置、１１…発光体、１１ａ，１１ｂ…発光素子、１１ｅ，１１ｆ…光出射面、１２，１３…導光シート、１２ａ，１３ａ…表面、１２ｂ，１３ｂ…端面、１４…光反射層、１００…電気光学装置、１１０，１２０…電気光学パネル、１３０…フレキシブル配線基板
【図１】
2006278096.tif 000003
【図２】
2006278096.tif 000004
【図３】
2006278096.tif 000005
【図４】
2006278096.tif 000006
【図５】
2006278096.tif 000007
【図６】
2006278096.tif 000008
【図７】
2006278096.tif 000009
【図８】
2006278096.tif 000010
【図９】
2006278096.tif 000011
【図１０】
2006278096.tif 000012
【図１１】
2006278096.tif 000013
【図１２】
2006278096.tif 000014
【図１３】
2006278096.tif 000015
【図１４】
2006278096.tif 000016